(57)【要約】【課題】消費者に対する広告情報の浸透状況を把握することができる広告宣伝システム、サーバ、及びプログラムを提供する。【解決手段】広告宣伝サーバ１０は、口コミ元ユーザのメールアドレスと広告メールを識別するための広告ＩＤとを含めた広告ウェブページのＵＲＬを添付した広告メールを口コミ元端末４０に送信する。口コミ元端末４０は、受信した広告メールを口コミ先端末５０に転送する。口コミ先端末５０は、受信した広告メールに含まれるＵＲＬを使用して、ウェブサーバ２０から広告ウェブページをダウンロードする。その時、ウェブサーバ２０は、口コミ先端末５０から口コミ先ユーザと口コミ元ユーザとのメールアドレスと広告ＩＤなどの情報を取得し、広告宣伝サーバ１０に送信する。広告宣伝サーバ１０は、受信した情報をもとに、口コミ元ユーザに対する報酬の付与と集計情報の生成を行う。【選択図】図１
2008234283.tif 000002
【特許請求の範囲】
【請求項１】
複数の消費者が使用する複数の端末と、前記端末を介して消費者に広告情報を提供する広告宣伝サーバと、前記端末を介して消費者に広告ウェブ情報を提供するウェブサーバと、から構成される広告宣伝システムであって、
前記ウェブサーバは、
前記広告ウェブ情報を格納する第１の格納手段を備え、
前記広告宣伝サーバは、
一の端末を使用する消費者を識別するための消費者識別子と前記広告ウェブ情報を識別するための広告識別子とを付したアドレスと、前記広告情報とを前記一の端末に送信する第１の送信手段を備え、
前記一の端末は、
前記第１の送信手段が送信した前記アドレスと前記広告情報とを受信し、受信した前記アドレスと前記広告情報とを、他の消費者が使用する他の端末に送信する第２の送信手段を備え、
前記他の端末は、
前記第２の送信手段が送信した前記アドレスと前記広告情報とを受信し、受信した前記アドレスを前記ウェブサーバに送信する第３の送信手段と、
前記ウェブサーバは、
前記第３の送信手段が送信した前記アドレスに付されている前記広告識別子に基づいて、前記第１の格納手段に格納されている広告ウェブ情報を前記他の端末に送信する第４の送信手段と、
前記第３の送信手段が送信した前記アドレスを受信し、受信した前記アドレスを前記広告宣伝サーバに送信する第５の送信手段と、を備え、
前記広告宣伝サーバは、
第５の送信手段が送信した前記アドレスに付されている前記消費者識別子と前記広告識別子とに基づいて、集計情報を生成し、格納する第２の格納手段と、
前記第２の送信手段が送信した前記アドレスに付されている前記消費者識別子により識別される消費者に所定の報酬を付与する報酬付与手段と、を備える、
ことを特徴とする広告宣伝システム。
【請求項２】
前記他の端末は、
当該他の端末を使用する前記他の消費者を識別する消費者識別子を取得する取得手段を備え、
前記第３の送信手段は、
前記第２の送信手段が送信した前記アドレスと前記広告情報とを受信し、受信した前記アドレスを、前記取得手段が取得した前記他の消費者を識別する消費者識別子と共に前記ウェブサーバに送信し、
前記第５の送信手段は、
前記第３の送信手段が送信した前記アドレスと、前記他の消費者を識別する消費者識別子とを受信し、受信した前記アドレスと前記他の消費者を識別する消費者識別子とを前記広告宣伝サーバに送信し、
前記第２の格納手段は、
前記第５の送信手段が送信した、前記アドレスに付されている前記消費者識別子と前記広告識別子と、前記他の消費者を識別する消費者識別子とに基づいて、集計情報を生成し、格納する、
ことを特徴とする請求項２に記載の広告宣伝システム。
【請求項３】
第１の送信手段は、
前記広告情報を、前記アドレスを含む電子メールとして前記一の端末に送信する、
ことを特徴とする請求項１又は２に記載の広告宣伝システム。
【請求項４】
前記第２の送信手段は、
前記第１の送信手段が送信した前記アドレスと前記広告情報とを受信し、受信した前記広告情報を、前記アドレスを含む電子メールとして、他の消費者が使用する他の端末に送信する、
ことを特徴とする請求項１乃至３の何れか１項に記載の広告宣伝システム。
【請求項５】
複数の消費者が使用する複数の端末と接続され、前記端末を介して消費者に広告情報を提供するサーバであって、
一の端末を使用する消費者を識別するための消費者識別子と前記広告ウェブ情報を識別するための広告識別子とを付したアドレスと、前記広告情報とを前記一の端末に送信する第１の送信手段と、
他装置より前記アドレスに付されている前記消費者識別子と前記広告識別子とを受信し、受信した前記消費者識別子と前記広告識別子とに基づいて、集計情報を生成し、格納する第２の格納手段と、
前記他装置より受信した前記アドレスに付されている前記消費者識別子により識別される消費者に所定の報酬を付与する報酬付与手段と、を備える、
ことを特徴とするサーバ。
【請求項６】
複数の消費者が使用する複数の端末と接続され、前記端末を介して消費者に広告ウェブ情報と広告情報とを提供するコンピュータを、
一の端末を使用する消費者を識別するための消費者識別子と前記広告ウェブ情報を識別するための広告識別子とを付したアドレスと、前記広告情報とを前記一の端末に送信する第１の送信手段、
他装置より前記アドレスに付されている前記消費者識別子と前記広告識別子とを受信し、受信した前記消費者識別子と前記広告識別子とに基づいて、集計情報を生成し、格納する第２の格納手段、
前記他装置より受信した前記アドレスに付されている前記消費者識別子により識別される消費者に所定の報酬を付与する報酬付与手段、
として機能させることを特徴とするプログラム。
【請求項７】
複数の消費者が使用する複数の端末と、前記端末を介して消費者に広告ウェブ情報と広告情報とを提供するサーバとから構成される広告宣伝システムであって、
前記サーバは、
前記広告ウェブ情報を格納する第１の格納手段と、
一の端末を使用する消費者を識別するための消費者識別子と前記広告ウェブ情報を識別するための広告識別子とを付したアドレスと、前記広告情報とを前記一の端末に送信する第１の送信手段と、を備え、
前記一の端末は、
前記第１の送信手段が送信した前記アドレスと前記広告情報とを受信し、受信した前記アドレスと前記広告情報とを、他の消費者が使用する他の端末に送信する第２の送信手段を備え、
前記他の端末は、
前記第２の送信手段が送信した前記アドレスと前記広告情報とを受信し、受信した前記アドレスを前記サーバに送信する第３の送信手段と、
前記サーバは、
前記第３の送信手段が送信した前記アドレスに付されている前記広告識別子に基づいて、前記第１の格納手段に格納されている広告ウェブ情報を前記他の端末に送信する第４の送信手段と、
前記第３の送信手段が送信した前記アドレスに付されている前記消費者識別子と前記広告識別子とに基づいて、集計情報を生成し、格納する第２の格納手段と、
前記第２の送信手段が送信した前記アドレスに付されている前記消費者識別子により識別される消費者に所定の報酬を付与する報酬付与手段と、を備える、
ことを特徴とする広告宣伝システム。
【請求項８】
前記他の端末は、
当該他の端末を使用する前記他の消費者を識別する消費者識別子を取得する取得手段を備え、
前記第３の送信手段は、
前記第２の送信手段が送信した前記アドレスと前記広告情報とを受信し、受信した前記アドレスを、前記取得手段が取得した前記他の消費者を識別する消費者識別子と共に前記サーバに送信し、
前記第２の格納手段は、
前記第３の送信手段が送信した、前記アドレスに付されている前記消費者識別子と前記広告識別子と、前記他の消費者を識別する消費者識別子とに基づいて、集計情報を生成し、格納する、
ことを特徴とする請求項７に記載の広告宣伝システム。
【請求項９】
第１の送信手段は、
前記広告情報を、前記アドレスを含む電子メールとして前記一の端末に送信する、
ことを特徴とする請求項７又は８に記載の広告宣伝システム。
【請求項１０】
前記第２の送信手段は、
前記第１の送信手段が送信した前記アドレスと前記広告情報とを受信し、受信した前記広告情報を、前記アドレスを含む電子メールとして、他の消費者が使用する他の端末に送信する、
ことを特徴とする請求項７乃至９の何れか１項に記載の広告宣伝システム。
【請求項１１】
複数の消費者が使用する複数の端末と接続され、前記端末を介して消費者に広告ウェブ情報と広告情報とを提供するサーバであって、
前記広告ウェブ情報を格納する第１の格納手段と、
一の端末を使用する消費者を識別するための消費者識別子と前記広告ウェブ情報を識別するための広告識別子とを付したアドレスと、前記広告情報とを前記一の端末に送信する第１の送信手段と、
他の端末が送信した前記アドレスを受信し、受信した前記アドレスに付されている前記広告識別子に基づいて、前記第１の格納手段に格納されている広告ウェブ情報を前記他の端末に送信する第４の送信手段と、
前記他の端末が送信した前記アドレスを受信し、受信した前記アドレスに付されている前記消費者識別子と前記広告識別子とに基づいて、集計情報を生成し、格納する第２の格納手段と、
前記他の端末が送信した前記アドレスを受信し、受信した前記アドレスに付されている前記消費者識別子により識別される消費者に所定の報酬を付与する報酬付与手段と、を備える、
ことを特徴とするサーバ。
【請求項１２】
複数の消費者が使用する複数の端末と接続され、前記端末を介して消費者に広告ウェブ情報と広告情報とを提供するコンピュータを、
前記広告ウェブ情報を格納する第１の格納手段、
一の端末を使用する消費者を識別するための消費者識別子と前記広告ウェブ情報を識別するための広告識別子とを付したアドレスと、前記広告情報とを前記一の端末に送信する第１の送信手段、
他の端末が送信した前記アドレスを受信し、受信した前記アドレスに付されている前記広告識別子に基づいて、前記第１の格納手段に格納されている広告ウェブ情報を前記他の端末に送信する第４の送信手段、
前記他の端末が送信した前記アドレスを受信し、受信した前記アドレスに付されている前記消費者識別子と前記広告識別子とに基づいて、集計情報を生成し、格納する第２の格納手段、
前記他の端末が送信した前記アドレスを受信し、受信した前記アドレスに付されている前記消費者識別子により識別される消費者に所定の報酬を付与する報酬付与手段、
として機能させることを特徴とするプログラム。
【発明の詳細な説明】
【技術分野】
【０００１】
本発明は、一般消費者に広告情報を提供する広告宣伝システム、サーバ、及び、プログラムに関する。
【背景技術】
【０００２】
現在、宣伝広告には、テレビ放送による広告やインターネットを利用した広告など様々なものがあり、それらは多大な影響を有している。しかし、一方で、消費者間で広まる情報、所謂、口コミ情報も多大な影響を有している。
【０００３】
例えば、特許文献１には、口コミ情報を広めた消費者に報酬を付与する広告宣伝システムの技術が開示されている。具体的に説明すると、この広告宣伝システムは、広告宣伝サーバと複数の端末とから構成される。一の消費者の端末は、広告宣伝サーバより受信した一の消費者のＩＤを組み込んだ広告ウェブ情報のＵＲＬを含む広告情報を電子メールで他の消費者の端末に転送する。他の消費者の端末は、上記ＵＲＬを用いて、広告ウェブ情報の取得要求を広告宣伝サーバに送信する。広告宣伝サーバは、取得要求を受信し、上記ＵＲＬに組み込まれたＩＤが識別する一の消費者に特典を付与する。
【０００４】
【特許文献１】特開２００４−１１０５０６号公報
【発明の開示】
【発明が解決しようとする課題】
【０００５】
しかし、特許文献１に開示されている技術では、広告情報を広める消費者に対して報酬を付与することができるが、広告情報の広まり具合、つまり、どの程度広告情報が消費者の間に浸透しているかの状況を把握することができなかった。
【０００６】
本発明は、上記問題点に鑑みてなされたもので、消費者に対する広告情報の浸透状況を把握することができる広告宣伝システム、及び、サーバ、プログラムを提供することを目的とする。
【課題を解決するための手段】
【０００７】
上記目的を達成するために、本発明の第１の観点に係る広告宣伝システムは、
複数の消費者が使用する複数の端末と、前記端末を介して消費者に広告情報を提供する広告宣伝サーバと、前記端末を介して消費者に広告ウェブ情報を提供するウェブサーバと、から構成される広告宣伝システムであって、
前記ウェブサーバは、
前記広告ウェブ情報を格納する第１の格納手段を備え、
前記広告宣伝サーバは、
一の端末を使用する消費者を識別するための消費者識別子と前記広告ウェブ情報を識別するための広告識別子とを付したアドレスと、前記広告情報とを前記一の端末に送信する第１の送信手段を備え、
前記一の端末は、
前記第１の送信手段が送信した前記アドレスと前記広告情報とを受信し、受信した前記アドレスと前記広告情報とを、他の消費者が使用する他の端末に送信する第２の送信手段を備え、
前記他の端末は、
前記第２の送信手段が送信した前記アドレスと前記広告情報とを受信し、受信した前記アドレスを前記ウェブサーバに送信する第３の送信手段と、
前記ウェブサーバは、
前記第３の送信手段が送信した前記アドレスに付されている前記広告識別子に基づいて、前記第１の格納手段に格納されている広告ウェブ情報を前記他の端末に送信する第４の送信手段と、
前記第３の送信手段が送信した前記アドレスを受信し、受信した前記アドレスを前記広告宣伝サーバに送信する第５の送信手段と、を備え、
前記広告宣伝サーバは、
第５の送信手段が送信した前記アドレスに付されている前記消費者識別子と前記広告識別子とに基づいて、集計情報を生成し、格納する第２の格納手段と、
前記第２の送信手段が送信した前記アドレスに付されている前記消費者識別子により識別される消費者に所定の報酬を付与する報酬付与手段と、を備える、
ことを特徴とする。
【０００８】
例えば、前記他の端末は、
当該他の端末を使用する前記他の消費者を識別する消費者識別子を取得する取得手段を備え、
前記第３の送信手段は、
前記第２の送信手段が送信した前記アドレスと前記広告情報とを受信し、受信した前記アドレスを、前記取得手段が取得した前記他の消費者を識別する消費者識別子と共に前記ウェブサーバに送信し、
前記第５の送信手段は、
前記第３の送信手段が送信した前記アドレスと、前記他の消費者を識別する消費者識別子とを受信し、受信した前記アドレスと前記他の消費者を識別する消費者識別子とを前記広告宣伝サーバに送信し、
前記第２の格納手段は、
前記第５の送信手段が送信した、前記アドレスに付されている前記消費者識別子と前記広告識別子と、前記他の消費者を識別する消費者識別子とに基づいて、集計情報を生成し、格納してもよい。
【０００９】
例えば、第１の送信手段は、
前記広告情報を、前記アドレスを含む電子メールとして前記一の端末に送信してもよい。
【００１０】
例えば、前記第２の送信手段は、
前記第１の送信手段が送信した前記アドレスと前記広告情報とを受信し、受信した前記広告情報を、前記アドレスを含む電子メールとして、他の消費者が使用する他の端末に送信してもよい。
【００１１】
本発明の第２の観点に係るサーバは、
複数の消費者が使用する複数の端末と接続され、前記端末を介して消費者に広告情報を提供するサーバであって、
一の端末を使用する消費者を識別するための消費者識別子と前記広告ウェブ情報を識別するための広告識別子とを付したアドレスと、前記広告情報とを前記一の端末に送信する第１の送信手段と、
他装置より前記アドレスに付されている前記消費者識別子と前記広告識別子とを受信し、受信した前記消費者識別子と前記広告識別子とに基づいて、集計情報を生成し、格納する第２の格納手段と、
前記他装置より受信した前記アドレスに付されている前記消費者識別子により識別される消費者に所定の報酬を付与する報酬付与手段と、を備える、
ことを特徴とする。
【００１２】
本発明の第３の観点に係るプログラムは、
複数の消費者が使用する複数の端末と接続され、前記端末を介して消費者に広告ウェブ情報と広告情報とを提供するコンピュータを、
一の端末を使用する消費者を識別するための消費者識別子と前記広告ウェブ情報を識別するための広告識別子とを付したアドレスと、前記広告情報とを前記一の端末に送信する第１の送信手段、
他装置より前記アドレスに付されている前記消費者識別子と前記広告識別子とを受信し、受信した前記消費者識別子と前記広告識別子とに基づいて、集計情報を生成し、格納する第２の格納手段、
前記他装置より受信した前記アドレスに付されている前記消費者識別子により識別される消費者に所定の報酬を付与する報酬付与手段、
として機能させることを特徴とする。
【００１３】
本発明の第４の観点に係る広告宣伝システムは、
複数の消費者が使用する複数の端末と、前記端末を介して消費者に広告ウェブ情報と広告情報とを提供するサーバとから構成される広告宣伝システムであって、
前記サーバは、
前記広告ウェブ情報を格納する第１の格納手段と、
一の端末を使用する消費者を識別するための消費者識別子と前記広告ウェブ情報を識別するための広告識別子とを付したアドレスと、前記広告情報とを前記一の端末に送信する第１の送信手段と、を備え、
前記一の端末は、
前記第１の送信手段が送信した前記アドレスと前記広告情報とを受信し、受信した前記アドレスと前記広告情報とを、他の消費者が使用する他の端末に送信する第２の送信手段を備え、
前記他の端末は、
前記第２の送信手段が送信した前記アドレスと前記広告情報とを受信し、受信した前記アドレスを前記サーバに送信する第３の送信手段と、
前記サーバは、
前記第３の送信手段が送信した前記アドレスに付されている前記広告識別子に基づいて、前記第１の格納手段に格納されている広告ウェブ情報を前記他の端末に送信する第４の送信手段と、
前記第３の送信手段が送信した前記アドレスに付されている前記消費者識別子と前記広告識別子とに基づいて、集計情報を生成し、格納する第２の格納手段と、
前記第２の送信手段が送信した前記アドレスに付されている前記消費者識別子により識別される消費者に所定の報酬を付与する報酬付与手段と、を備える、
ことを特徴とする。
【００１４】
例えば、前記他の端末は、
当該他の端末を使用する前記他の消費者を識別する消費者識別子を取得する取得手段を備え、
前記第３の送信手段は、
前記第２の送信手段が送信した前記アドレスと前記広告情報とを受信し、受信した前記アドレスを、前記取得手段が取得した前記他の消費者を識別する消費者識別子と共に前記サーバに送信し、
前記第２の格納手段は、
前記第３の送信手段が送信した、前記アドレスに付されている前記消費者識別子と前記広告識別子と、前記他の消費者を識別する消費者識別子とに基づいて、集計情報を生成し、格納してもよい。
【００１５】
例えば、第１の送信手段は、
前記広告情報を、前記アドレスを含む電子メールとして前記一の端末に送信してもよい。
【００１６】
例えば、前記第２の送信手段は、
前記第１の送信手段が送信した前記アドレスと前記広告情報とを受信し、受信した前記広告情報を、前記アドレスを含む電子メールとして、他の消費者が使用する他の端末に送信してもよい。
【００１７】
本発明の第５の観点に係るサーバは、
複数の消費者が使用する複数の端末と接続され、前記端末を介して消費者に広告ウェブ情報と広告情報とを提供するサーバであって、
前記広告ウェブ情報を格納する第１の格納手段と、
一の端末を使用する消費者を識別するための消費者識別子と前記広告ウェブ情報を識別するための広告識別子とを付したアドレスと、前記広告情報とを前記一の端末に送信する第１の送信手段と、
他の端末が送信した前記アドレスを受信し、受信した前記アドレスに付されている前記広告識別子に基づいて、前記第１の格納手段に格納されている広告ウェブ情報を前記他の端末に送信する第４の送信手段と、
前記他の端末が送信した前記アドレスを受信し、受信した前記アドレスに付されている前記消費者識別子と前記広告識別子とに基づいて、集計情報を生成し、格納する第２の格納手段と、
前記他の端末が送信した前記アドレスを受信し、受信した前記アドレスに付されている前記消費者識別子により識別される消費者に所定の報酬を付与する報酬付与手段と、を備える、
ことを特徴とする。
【００１８】
本発明の第６の観点に係るプログラムは、
複数の消費者が使用する複数の端末と接続され、前記端末を介して消費者に広告ウェブ情報と広告情報とを提供するコンピュータを、
前記広告ウェブ情報を格納する第１の格納手段、
一の端末を使用する消費者を識別するための消費者識別子と前記広告ウェブ情報を識別するための広告識別子とを付したアドレスと、前記広告情報とを前記一の端末に送信する第１の送信手段、
他の端末が送信した前記アドレスを受信し、受信した前記アドレスに付されている前記広告識別子に基づいて、前記第１の格納手段に格納されている広告ウェブ情報を前記他の端末に送信する第４の送信手段、
前記他の端末が送信した前記アドレスを受信し、受信した前記アドレスに付されている前記消費者識別子と前記広告識別子とに基づいて、集計情報を生成し、格納する第２の格納手段、
前記他の端末が送信した前記アドレスを受信し、受信した前記アドレスに付されている前記消費者識別子により識別される消費者に所定の報酬を付与する報酬付与手段、
として機能させることを特徴とする。
【発明の効果】
【００１９】
本発明によれば、広告情報の消費者に対する浸透状況を把握することができる。
【発明を実施するための最良の形態】
【００２０】
（第１の実施形態）
以下、本発明の第１の実施形態に係る広告宣伝システム１００を説明する。広告宣伝システム１００は、広告を広めた消費者に報酬を付与し、また、広告の広まり具合を把握することを可能にする。
【００２１】
広告宣伝システム１００は、図１に示すように、広告宣伝サーバ１０と、ウェブサーバ２０と、広告主端末３０と、口コミ元端末４０と、口コミ先端末５０と、インターネット６０と、から構成される。
【００２２】
広告宣伝サーバ１０は、広告主端末３０から広告メールを受信すると、その広告メールに広告ウェブページのＵＲＬ（Uniform Resource Locator）を添付する。次に、広告宣伝サーバ１０は、ＵＲＬを添付した広告メールを、システム１００が行うサービスに登録している全てのユーザ（以下、口コミ元ユーザ）が使用するメールアドレスに送信する。
【００２３】
広告宣伝サーバ１０は、ウェブサーバ２０から口コミ元ユーザが他のユーザ（以下、口コミ先ユーザ）が使用する口コミ先端末５０に広告メールを転送した旨の情報を受信すると、口コミ元ユーザのポイントを加算し、ユーザ情報を更新する。そして、口コミ元ユーザが使用する消費者端末４０に報酬（ポイント）を加算する旨の情報を送信する。広告宣伝サーバ１０は、受信した口コミに関する情報に基づいて、集計情報を更新し、格納し、広告主端末３０に送信する。
【００２４】
広告宣伝サーバ１０は、図２に示すように、ＣＰＵ（Central Processing Unit）１１と、ＲＯＭ（Read Only Memory）１２と、ＲＡＭ（Random Access Memory）１３と、通信制御部１４と、記憶部１５と、から構成される。
【００２５】
ＣＰＵ１１は、広告宣伝サーバ１０全体の動作を制御する。また、ＣＰＵ１１は、ＲＯＭ１２に格納されているプログラムを実行することにより、広告メールの送信と報酬の付与と集計情報の生成に関する処理を行う。処理の内容については、後述する。
【００２６】
ＲＯＭ１２は、ＣＰＵ１１の動作プログラムを記憶する。動作プログラムの詳細については後述する。
【００２７】
ＲＡＭ１３は、ＣＰＵ１１のワークエリアとして機能する。
【００２８】
通信制御部１４は、インターネット６０に接続され、他装置との間でデータの送受信を行う。
【００２９】
記憶部１５は、ハードディスク装置等から構成され、図６に示すようなユーザ情報１５１や、図７に示すような集計情報１５２などを格納する。
【００３０】
ユーザ情報１５１は、広告宣伝システム１００が行う広告配信サービスを使用するユーザ（口コミ元）の情報であり、広告主端末３０が送信した広告メールをそれらのユーザに配信するために使用される。ユーザ情報１５１は、図６に示すように、ユーザの氏名と、ユーザのメールアドレスと、ユーザのポイント、の情報から構成される。なお、ユーザのポイントは、ユーザが他のユーザに広告メールを紹介（転送）したことに対する報酬であり、ユーザが広告メールを転送するたびに与えられる。
【００３１】
集計情報１５２は、過去に口コミ元が口コミ先に広告メールを転送した履歴であり、広告配信サーバ１０がウェブサーバ２０から受信した、広告メールの転送が行われた年月日と、広告メールのＩＤと、口コミ元のメールアドレスと、口コミ先の氏名とメールアドレスと、に基づいて、生成される。集計情報１５２は、図７に示すように、口コミ先が口コミ元から広告メールを受信した年月日と、その広告メールのＩＤと、口コミ元の氏名と、口コミ先の氏名とメールアドレスと、の情報から構成される。
【００３２】
ウェブサーバ２０は、広告主端末３０が送信する広告メールに対応する広告ウェブページのｈｔｍｌ（HyperText Markup Language）ファイルを格納し、他装置の要求に応じて送信する。また、ウェブサーバ２０は、口コミ先端末５０から広告ウェブページのｈｔｍｌファイルを要求されると、広告メールの転送が行われた年月日、広告メールのＩＤ、口コミ元のメールアドレス、口コミ先の氏名とメールアドレス、等を取得し、広告宣伝サーバ１０に送信する。
【００３３】
ウェブサーバ２０は、図３に示すように、ＣＰＵ２１と、ＲＯＭ２２と、ＲＡＭ２３と、通信制御部２４と、記憶部２５と、から構成される。
【００３４】
ＣＰＵ２１は、ウェブサーバ２０全体の動作を制御する。また、ＣＰＵ２１は、ＲＯＭ２２に格納されているプログラムを実行することにより、広告ウェブページのｈｔｍｌファイルの送信と集計情報の元になる情報の送信に関する処理を行う。処理の内容については、後述する。
【００３５】
ＲＯＭ２２は、ＣＰＵ２１の動作プログラムを記憶する。動作プログラムの詳細については後述する。
【００３６】
ＲＡＭ２３は、ＣＰＵ２１のワークエリアとして機能する。
【００３７】
通信制御部２４は、インターネット６０に接続され、他装置との間でデータの送受信を行う。
【００３８】
記憶部２５は、ハードディスク装置等から構成され、広告メールに対応する広告ウェブページのｈｔｍｌファイルなどを格納する。
【００３９】
広告主端末３０は、広告主が生成した広告メールを広告宣伝サーバに送信する。また、広告主端末３０は、広告宣伝サーバから集計情報１５２を受信する。
【００４０】
口コミ元端末４０は、広告宣伝サーバ１０から広告メールを受信する。また、口コミ元端末４０は、口コミ元のユーザの操作に応じて、受信した広告メールを口コミ先端末５０に転送する。
【００４１】
口コミ元端末４０は、図４に示すように、ＣＰＵ４１と、ＲＯＭ４２と、ＲＡＭ４３と、記憶部４４と、通信制御部４５と、表示制御部４６と、表示部４７と、操作部４８と、から構成される。
【００４２】
ＣＰＵ４１は、口コミ元端末４０全体の動作を制御する。また、ＣＰＵ４１は、ＲＯＭ４２に格納されているプログラムを実行することにより、電子メールの受信と送信と表示に関する処理を行う。処理の内容については、後述する。
【００４３】
ＲＯＭ４２は、ＣＰＵ４１の動作プログラムを記憶する。動作プログラムの詳細については後述する。
【００４４】
ＲＡＭ４３は、ＣＰＵ４１のワークエリアとして機能する。
【００４５】
通信制御部４４は、インターネット６０に接続され、他装置との間でデータの送受信を行う。
【００４６】
記憶部４５は、ハードディスク装置等から構成され、広告メールなどを格納する。
【００４７】
表示制御部４６は、ＣＰＵ４１の制御のもと、電子メールやｈｔｍｌファイルなどのデータを表示部４７が表示可能なデータ形式に変換し、表示部５７に供給する。
【００４８】
表示部４７は、電子メールやウェブページなどを表示する。例えば、表示部４７は、ＬＣＤ（Liquid Crystal Display）、有機ＥＬ（Electroluminescence）等のディスプレイなどから構成される。
【００４９】
操作部４８は、操作キー等から構成され、ユーザから操作を受け付け、操作に応じた操作信号をＣＰＵ４１に送出する。
【００５０】
口コミ先端末５０は、口コミ元端末４０から広告メールを受信する。また、口コミ先端末５０は、口コミ先のユーザの操作に応じて、受信した広告メールに含まれるＵＲＬを使用して広告ウェブページをダウンロードする。
【００５１】
口コミ先端末５０は、図５に示すように、ＣＰＵ５１と、ＲＯＭ５２と、ＲＡＭ５３と、記憶部５４と、通信制御部５５と、表示制御部５６と、表示部５７と、操作部５８と、から構成される。
【００５２】
ＣＰＵ５１は、口コミ先端末５０全体の動作を制御する。また、ＣＰＵ５１は、ＲＯＭ５２に格納されているプログラムを実行することにより、電子メールの受信と送信と表示に関する処理を行う。処理の内容については、後述する。
【００５３】
ＲＯＭ５２は、ＣＰＵ５１の動作プログラムを記憶する。動作プログラムの詳細については後述する。
【００５４】
ＲＡＭ５３は、ＣＰＵ５１のワークエリアとして機能する。
【００５５】
通信制御部５４は、インターネット６０に接続され、他装置との間でデータの送受信を行う。
【００５６】
記憶部５５は、ハードディスク装置等から構成され、広告メールなどを格納する。
【００５７】
表示制御部５６は、ＣＰＵ５１の制御のもと、電子メールやｈｔｍｌファイルなどのデータを表示部５７が表示可能なデータ形式に変換し、表示部５７に供給する。
【００５８】
表示部５７は、電子メールやウェブページなどを表示する。例えば、表示部５７は、ＬＣＤ（Liquid Crystal Display）、有機ＥＬ（Electroluminescence）等のディスプレイなどから構成される。
【００５９】
操作部５８は、操作キー等から構成され、ユーザから操作を受け付け、操作に応じた操作信号をＣＰＵ５１に送出する。
【００６０】
以下、上記構成を有する広告宣伝システム１００の動作を説明する。
【００６１】
図８に示すシーケンス図を参照して、広告宣伝システム１００における広告メールの送受信に関する一連の処理の一例を説明する。
【００６２】
先ず、広告主端末３０は、広告主が作成した広告メールを広告宣伝サーバ１０に送信する（ステップ＃１）。
【００６３】
広告宣伝サーバ１０は、広告メールを受信すると（ステップ＃２）、受信した広告メールに一意のＩＤ（以下、広告ＩＤ）を付与する。
【００６４】
広告宣伝サーバ１０は、記憶部１５に格納しているユーザ情報１５１を参照して、システム１００が行うサービスに登録している各ユーザ（口コミ元）のメールアドレスを取得する。
【００６５】
広告宣伝サーバ１０は、広告ＩＤと各ユーザのメールアドレスなどから、一意のキー（以下、クチコミキー）を生成する。
【００６６】
広告宣伝サーバ１０は、広告メールに対応する広告ウェブページのＵＲＬにクチコミキーを含ませる。例えば、「http://www.abc.co.jp/efg?xxxxx」のように、通常の広告ウェブページのＵＲＬの「http://www.abc.co.jp/efg」の部分にクチコミキーを表す「xxxxx」を付加させる。
【００６７】
広告宣伝サーバ１０は、クチコミキー付ＵＲＬを広告メールに挿入する。
【００６８】
広告宣伝サーバ１０は、クチコミキー付ＵＲＬを挿入した広告メールを、システム１００が行うサービスに登録している全てのユーザのメールアドレス（口コミ元端末４０）に送信する（ステップ＃３）。
【００６９】
口コミ元端末４０は、広告メールを受信する（ステップ＃４）。
【００７０】
ここで、操作部４８を介して、受信した広告メールを口コミ先端末５０に転送する旨の要求を受信したと仮定すると、口コミ元端末４０は、広告メールを口コミ先端末５０に送信する（ステップ＃５）。
【００７１】
口コミ先端末５０は、広告メールを受信する（ステップ＃６）。
【００７２】
ここで、操作部５８を介して、広告メールに挿入されたＵＲＬに対応する広告ウェブページをダウンロードする旨の要求を受信したと仮定すると、口コミ先端末５０は、上記ＵＲＬに対応する広告ウェブページをダウンロードする旨の要求をウェブサーバ２０に送信する（ステップ＃７）。
【００７３】
ウェブサーバ２０は、口コミ先端末５０から広告ウェブページのダウンロード要求を受信すると（ステップ＃８）、上記ＵＲＬに含まれるクチコミキーから口コミ元のユーザのメールアドレスと広告ＩＤとを取得し、記憶する。また、ウェブサーバ２０は、ダウンロード要求を受信した年月日を記憶する。それから、ウェブサーバ２０は、上記ＵＲＬの広告ウェブページのｈｔｍｌファイルを口コミ先端末５０に送信する（ステップ＃９）。
【００７４】
口コミ先端末５０は、上記ＵＲＬの広告ウェブページのｈｔｍｌファイルを受信すると（ステップ＃１０）、上記ＵＲＬの広告ウェブページを表示する。この広告ウェブページには、広告画面の他に口コミ先ユーザの氏名やメールアドレスの登録画面が含まれている。
【００７５】
ここで、操作部５８を介して、口コミ先ユーザの氏名やメールアドレスを登録する旨の要求を受信したと仮定すると、口コミ先端末５０は、口コミ先ユーザの氏名やメールアドレスなどの情報をウェブサーバ２０に送信する（ステップ＃１１）。
【００７６】
ウェブサーバ２０は、口コミ先端末５０から口コミ先ユーザの氏名やメールアドレスなどの情報を受信すると（ステップ＃１２）、記憶している口コミ元ユーザのメールアドレスと広告ＩＤとダウンロード要求を受信した年月日と、口コミ先ユーザの氏名とメールアドレスなどの情報を広告宣伝サーバ１０に送信する（ステップ＃１３）。
【００７７】
広告宣伝サーバ１０は、口コミ元ユーザのメールアドレスと広告ＩＤとダウンロード要求年月日と、口コミ先ユーザの氏名とメールアドレスなどの情報を受信すると（ステップ＃１４）、ユーザ情報１５１を参照して、口コミ元ユーザのポイントを加算し、ユーザ情報１５１を更新する。
【００７８】
例えば、２００７年３月９日に「東京一郎」が広告ＩＤ「２０」の広告メールを「徳島六郎」に転送した場合、「東京一郎」のポイントが１０ポイント、加算され、図６に示すようなユーザ情報１５１における「東京一郎」の「ポイント」の欄の数値が、「１００」から「１１０」に変更される。
【００７９】
広告宣伝サーバ１０は、口コミ元ユーザのポイントを加算した旨の通知を口コミ元ユーザのメールアドレスに送信する（ステップ＃１５）。口コミ元端末４０は、広告宣伝サーバ１０から、口コミ元ユーザのポイントを加算した旨の通知を受信する（ステップ＃１６）。
【００８０】
また、広告宣伝サーバ１０は、受信した口コミ元ユーザのメールアドレスと広告ＩＤとダウンロード要求年月日と口コミ先ユーザの氏名とメールアドレスなどの情報と、格納している集計情報１５２とに基づいて、集計情報１５２を更新する。
【００８１】
例えば、２００７年３月９日に「東京一郎」が広告ＩＤ「２０」の広告メールを「徳島六郎」に転送した場合、図７に示すような集計情報１５２における「Ｎｏ．５」の行の「日時」の欄に「２００７／０３／０９」が、「広告ＩＤ」の欄に「２０」が、「口コミ元氏名」の欄に「東京一郎」が、「口コミ先氏名」の欄に「徳島六郎」が、「口コミ先アドレス」の欄に「tokushima@yahho.co.jp」が追加される。
【００８２】
広告宣伝サーバ１０は、更新した集計情報１５２を広告主端末３０に送信する（ステップ＃１７）。広告主端末３０は、集計情報１５２を受信し、表示する（ステップ＃１８）。
【００８３】
この処理のフローは、あくまでも一例であるが、このようにして広告宣伝システム１００は、広告メールの紹介を行った口コミ元ユーザに報酬（ポイント）を付与し、また、広告メールの広まり具合を把握することができる。
【００８４】
次に、広告宣伝システム１００を構成する各装置の実際の処理を図９〜１２を参照しながら説明する。
【００８５】
先ず、広告宣伝サーバ１０が行う広告メール配信処理を説明する。簡単に説明すると、広告宣伝サーバ１０は、広告主端末３０から広告メールを受信すると、受信した広告メールに広告ウェブページのＵＲＬを添付する。次に、広告宣伝サーバ１０は、ＵＲＬを添付した広告メールを、システム１００が行うサービスに登録している全てのユーザ（以下、口コミ元ユーザ）が使用するメールアドレスに送信する。
【００８６】
以下、図９に示すフローチャートを参照しながら、広告メール配信処理を詳細に説明する。
【００８７】
先ず、広告主端末３０から広告メールを受信すると、ＣＰＵ１１は、受信した広告メールに広告ＩＤを付与する（ステップＳ１１）。
【００８８】
ＣＰＵ１１は、記憶部１５に格納しているユーザ情報１５１を参照して、システム１００が行うサービスに登録している各ユーザ（口コミ元）のメールアドレスを取得する。ＣＰＵ１１は、広告ＩＤと各ユーザのメールアドレスなどから、それぞれ一意のキー（以下、クチコミキー）を生成する（ステップＳ１２）。
【００８９】
ＣＰＵ１１は、広告メールに対応する広告ウェブページのＵＲＬにクチコミキーを含ませる。例えば、「http://www.abc.co.jp/efg?xxxxx」のように、通常の広告ウェブページのＵＲＬの「http://www.abc.co.jp/efg」の部分にクチコミキーを表す「xxxxx」を付加させる。ＣＰＵ１１は、クチコミキー付ＵＲＬを広告メールに挿入する（ステップＳ１３）。
【００９０】
ＣＰＵ１１は、クチコミキー付ＵＲＬを挿入した広告メールを、システム１００が行うサービスに登録している全てのユーザ（口コミ元ユーザ）のメールアドレス（口コミ元端末４０）に配信する（ステップＳ１４）。
【００９１】
このように、広告メール配信処理によれば、広告ＩＤと各ユーザのアドレスを含ませたＵＲＬを広告メールに添付し、各ユーザに配信することができる。そして、広告メールを配信された各ユーザ（口コミ元ユーザ）は、配信された広告メールを他のユーザに紹介（転送）することができる。
【００９２】
次に、ウェブサーバ２０が行うウェブページ提供処理を説明する。簡単に説明すると、ウェブサーバ２０は、口コミ先端末５０から広告ウェブページのｈｔｍｌファイルを要求されると、要求されたＵＲＬに含まれる広告メールのＩＤ、口コミ元ユーザのメールアドレスを記憶し、要求されたＵＲＬのｈｔｍｌファイルを口コミ先端末５０に送信する。
【００９３】
以下、図１０に示すフローチャートを参照しながら、ウェブページ提供処理を詳細に説明する。
【００９４】
先ず、口コミ先端末５０から広告ウェブページのダウンロード要求を受信すると、ＣＰＵ２１は、要求と共に受信したＵＲＬに含まれるクチコミキーから口コミ元のユーザのメールアドレスと広告ＩＤとを取得し、記憶する（ステップＳ２１）。
【００９５】
また、ＣＰＵ２１は、ダウンロード要求を受信した年月日を記憶する（ステップＳ２２）。
【００９６】
ＣＰＵ２１は、上記ＵＲＬの広告ウェブページのｈｔｍｌファイルを口コミ先端末５０に送信する（ステップＳ２３）。
【００９７】
このようにして、ウェブページ提供処理によれば、ウェブサーバ２０は、広告ウェブページのダウンロード要求を受信すると、要求と共に受信したＵＲＬから口コミ元ユーザのメールアドレスと広告ＩＤを記憶し、要求されたウェブページのファイルを送信することができる。
【００９８】
ここで、ウェブサーバ２０が行う口コミ結果送信処理を説明する。簡単に説明すると、ウェブサーバ２０は、口コミ先ユーザの氏名とメールアドレス、等を口コミ先端末５０から受信すると、広告ウェブページのダウンロードが行われた年月日、広告メールのＩＤ、口コミ元ユーザのメールアドレス、口コミ先ユーザの氏名とメールアドレス、等を広告宣伝サーバ１０に送信する。
【００９９】
以下、図１１に示すフローチャートを参照しながら、口コミ結果送信処理を詳細に説明する。
【０１００】
先ず、口コミ先端末５０から口コミ先ユーザの氏名やメールアドレスなどの情報を受信すると、ＣＰＵ２１は、記憶部２５に記憶している口コミ元ユーザのメールアドレスと広告ＩＤとダウンロード要求を受信した年月日とを取得する（ステップＳ３１）。
【０１０１】
ＣＰＵ２１は、取得した口コミ元ユーザのメールアドレスと広告ＩＤとダウンロード要求を受信した年月日と口コミ先ユーザの氏名とメールアドレスなどの情報を広告宣伝サーバ１０に送信する（ステップＳ３２）。
【０１０２】
このようにして、口コミ結果送信処理によれば、ウェブサーバ２０は、システムにおいて行われた口コミに関する情報を広告宣伝サーバ１０に送信することができる。
【０１０３】
ここで、広告宣伝サーバ１０が行う集計情報送信処理を説明する。簡単に説明すると、広告宣伝サーバ１０は、ウェブサーバ２０から口コミに関する情報を受信すると、口コミ元ユーザのポイントを加算し、ユーザ情報を更新する。そして、口コミ元ユーザが使用する消費者端末４０に報酬（ポイント）を加算する旨の情報を送信する。広告宣伝サーバ１０は、受信した口コミに関する情報に基づいて、集計情報を更新し、格納し、広告主端末３０に送信する。
【０１０４】
以下、図１２に示すフローチャートを参照しながら、集計情報送信処理を詳細に説明する。
【０１０５】
先ず、口コミ元ユーザのメールアドレスと広告ＩＤとダウンロード要求年月日と、口コミ先ユーザの氏名とメールアドレスなどの情報を受信すると、ＣＰＵ１１は、記憶部１５に格納しているユーザ情報１５１を参照して、口コミ元ユーザのポイントを加算し、続いて、ユーザ情報１５１を更新する（ステップＳ４１）。
【０１０６】
ＣＰＵ１１は、口コミ元ユーザのポイントを加算した旨の通知を口コミ元ユーザのメールアドレスに送信する（ステップＳ４２）。
【０１０７】
ＣＰＵ１１は、受信した口コミ元ユーザのメールアドレスと広告ＩＤとダウンロード要求年月日と口コミ先ユーザの氏名とメールアドレスなどの情報と、格納している集計情報１５２とに基づいて、集計情報１５２を更新する（ステップＳ４３）。
【０１０８】
ＣＰＵ１１は、更新した集計情報１５２を広告主端末３０に送信する（ステップＳ４４）。
【０１０９】
このようにして、集計情報送信処理によれば、広告宣伝サーバ１０は、口コミ元ユーザに対する報酬（ポイント）の付与と、広告主への集計情報の提供とを行うことができる。
【０１１０】
以上、本発明の第１の実施形態に係る広告宣伝システム１００によれば、口コミ元ユーザが広告メールを広めることに対して、口コミ元ユーザへ報酬（ポイント）を付与することと、広告主へ広告メールの広まり具合を知らせることとを行うことができる。
（第２の実施形態）
第１の実施形態では、ウェブサーバ２０が、口コミ先端末５０に広告ウェブページを提供し、口コミに関する情報（広告ＩＤ、メールアドレス等）を取得し、広告宣伝サーバ１０に送信した。しかし、第１の実施形態においてウェブサーバ２０が行う処理を広告サーバ１０が行うようにしてもよい。
【０１１１】
本発明の第２の実施形態に係る広告宣伝システム２００は、図１３に示すように、広告宣伝サーバ１０と、広告主端末３０と、口コミ元端末４０と、口コミ先端末５０と、インターネット６０と、から構成される。
【０１１２】
図１４に示すシーケンス図を参照して、広告宣伝システム２００における広告メールの送受信に関する一連の処理の一例を説明する。
【０１１３】
先ず、広告主端末３０は、広告主が作成した広告メールを広告宣伝サーバ１０に送信する（ステップ＃１０１）。
【０１１４】
広告宣伝サーバ１０は、広告メールを受信すると（ステップ＃１０２）、受信した広告メールに一意のＩＤ（以下、広告ＩＤ）を付与する。
【０１１５】
広告宣伝サーバ１０は、記憶部１５に格納しているユーザ情報１５１を参照して、システム１００が行うサービスに登録している各ユーザ（口コミ元）のメールアドレスを取得する。
【０１１６】
広告宣伝サーバ１０は、広告ＩＤと各ユーザのメールアドレスなどから、一意のキー（以下、クチコミキー）を生成する。
【０１１７】
広告宣伝サーバ１０は、広告メールに対応する広告ウェブページのＵＲＬにクチコミキーを含ませる。例えば、「http://www.abc.co.jp/efg?xxxxx」のように、通常の広告ウェブページのＵＲＬの「http://www.abc.co.jp/efg」の部分にクチコミキーを表す「xxxxx」を付加させる。
【０１１８】
広告宣伝サーバ１０は、クチコミキー付ＵＲＬを広告メールに挿入する。
【０１１９】
広告宣伝サーバ１０は、クチコミキー付ＵＲＬを挿入した広告メールを、システム１００が行うサービスに登録している全てのユーザのメールアドレス（口コミ元端末４０）に送信する（ステップ＃１０３）。
【０１２０】
口コミ元端末４０は、広告メールを受信する（ステップ＃１０４）。
【０１２１】
ここで、操作部４８を介して、受信した広告メールを口コミ先端末５０に転送する旨の要求を受信したと仮定すると、口コミ元端末４０は、広告メールを口コミ先端末５０に送信する（ステップ＃１０５）。
【０１２２】
口コミ先端末５０は、広告メールを受信する（ステップ＃１０６）。
【０１２３】
ここで、操作部５８を介して、広告メールに挿入されたＵＲＬに対応する広告ウェブページをダウンロードする旨の要求を受信したと仮定すると、口コミ先端末５０は、上記ＵＲＬに対応する広告ウェブページをダウンロードする旨の要求を広告宣伝サーバ１０に送信する（ステップ＃１０７）。
【０１２４】
広告宣伝サーバ１０は、口コミ先端末５０から広告ウェブページのダウンロード要求を受信すると（ステップ＃１０８）、上記ＵＲＬに含まれるクチコミキーから口コミ元のユーザのメールアドレスと広告ＩＤとを取得し、記憶する。また、広告宣伝サーバ１０は、ダウンロード要求を受信した年月日を記憶する。それから、広告宣伝サーバ１０は、上記ＵＲＬの広告ウェブページのｈｔｍｌファイルを口コミ先端末５０に送信する（ステップ＃１０９）。
【０１２５】
口コミ先端末５０は、上記ＵＲＬの広告ウェブページのｈｔｍｌファイルを受信すると（ステップ＃１１０）、上記ＵＲＬの広告ウェブページを表示する。この広告ウェブページには、広告画面の他に口コミ先ユーザの氏名やメールアドレスの登録画面が含まれている。
【０１２６】
ここで、操作部５８を介して、口コミ先ユーザの氏名やメールアドレスを登録する旨の要求を受信したと仮定すると、口コミ先端末５０は、口コミ先ユーザの氏名やメールアドレスなどの情報を広告宣伝サーバ１０に送信する（ステップ＃１１１）。
【０１２７】
広告宣伝サーバ１０は、口コミ先端末５０から口コミ先ユーザの氏名やメールアドレスなどの情報を受信すると（ステップ＃１１２）、ユーザ情報１５１を参照して、口コミ元ユーザのポイントを加算し、ユーザ情報１５１を更新する。
【０１２８】
広告宣伝サーバ１０は、口コミ元ユーザのポイントを加算した旨の通知を口コミ元ユーザのメールアドレスに送信する（ステップ＃１１３）。口コミ元端末４０は、広告宣伝サーバ１０から、口コミ元ユーザのポイントを加算した旨の通知を受信する（ステップ＃１１４）。
【０１２９】
また、広告宣伝サーバ１０は、記憶している口コミ元ユーザのメールアドレスと広告ＩＤとダウンロード要求年月日と口コミ先ユーザの氏名とメールアドレスなどの情報と、格納している集計情報１５２とに基づいて、集計情報１５２を更新する。
【０１３０】
広告宣伝サーバ１０は、更新した集計情報１５２を広告主端末３０に送信する（ステップ＃１１５）。広告主端末３０は、集計情報１５２を受信し、表示する（ステップ＃１１６）。
【０１３１】
この処理のフローは、あくまでも一例であるが、第２の実施形態に係る広告宣伝システム２００によれば、フローを簡略化することができる。
【０１３２】
なお、本発明は上記実施形態に限定されず、種々の変形及び応用が可能である。
【０１３３】
広告宣伝サーバ１０及びウェブサーバ２０は、専用のシステムによらず、通常のコンピュータシステムを用いて実現可能である。たとえば、前記の動作を実行するためのコンピュータプログラムを、コンピュータが読みとり可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する広告宣伝サーバ１０及びウェブサーバ２０を構成してもよい。また、インターネット等の通信ネットワーク上のサーバ装置が有する記憶装置に当該コンピュータプログラムを格納しておき、通常のコンピュータシステムがダウンロード等することで広告宣伝サーバ１０及びウェブサーバ２０を構成してもよい。
【０１３４】
また、広告宣伝サーバ１０及びウェブサーバ２０の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【図面の簡単な説明】
【０１３５】
【図１】本発明の第１の実施形態に係る広告宣伝システムの構成図である。
【図２】図１の広告宣伝サーバの構成図である。
【図３】図１のウェブサーバの構成図である。
【図４】図１の口コミ元端末の構成図である。
【図５】図１の口コミ先端末の構成図である。
【図６】ユーザ情報を説明するための表である。
【図７】集計情報を説明するための表である。
【図８】本発明の第１の実施形態に係る広告宣伝システムの動作を説明するためのシーケンス図である。
【図９】広告メール配信処理を説明するためのフローチャートである。
【図１０】ウェブページ提供処理を説明するためのフローチャートである。
【図１１】口コミ結果送信処理を説明するためのフローチャートである。
【図１２】集計情報送信処理を説明するためのフローチャートである。
【図１３】本発明の第２の実施形態に係る広告宣伝システムの構成図である。
【図１４】本発明の第２の実施形態に係る広告宣伝システムの動作を説明するためのシーケンス図である。
【符号の説明】
【０１３６】
１０    広告宣伝サーバ
１１    ＣＰＵ
１２    ＲＯＭ
１３    ＲＡＭ
１４    通信制御部
１５    記憶部
２０    ウェブサーバ
２１    ＣＰＵ
２２    ＲＯＭ
２３    ＲＡＭ
２４    通信制御部
２５    記憶部
３０    広告主端末
４０    口コミ元端末
４１    ＣＰＵ
４２    ＲＯＭ
４３    ＲＡＭ
４４    記憶部
４５    通信制御部
４６    表示制御部
４７    表示部
４８    操作部
５０    口コミ先端末
５１    ＣＰＵ
５２    ＲＯＭ
５３    ＲＡＭ
５４    記憶部
５５    通信制御部
５６    表示制御部
５７    表示部
５８    操作部
１００  広告宣伝システム
１５１  ユーザ情報
１５２  集計情報
２００  広告宣伝システム
【図１】
2008234283.tif 000003
【図２】
2008234283.tif 000004
【図３】
2008234283.tif 000005
【図４】
2008234283.tif 000006
【図５】
2008234283.tif 000007
【図６】
2008234283.tif 000008
【図７】
2008234283.tif 000009
【図８】
2008234283.tif 000010
【図９】
2008234283.tif 000011
【図１０】
2008234283.tif 000012
【図１１】
2008234283.tif 000013
【図１２】
2008234283.tif 000014
【図１３】
2008234283.tif 000015
【図１４】
2008234283.tif 000016